(57)【要約】【課題】  マンコンベア全長にわたり情報を提供することで、マンコンベアの形状に影響されることなくマンコンベア利用中の乗客に対し容易に且つ確実に情報を伝達することができるマンコンベアの情報表示装置を得る。【解決手段】  無端状に連結されて駆動機構の駆動力により移動する複数の踏段１２と、この踏段１２の移動方向に沿って設けられたデッキボード８と、このデッキボード８に案内されて踏段１２と同期して移動する手摺９とを備えたマンコンベアにおいて、上階に設置されるマンコンベアの外装底部の全長にわたって設置された情報照射装置５と、この情報照射装置５から下階のマンコンベアの手摺９に照射される情報を制御する情報制御装置１１とを備える。【選択図】        図１
2005225669.tif 000002
【特許請求の範囲】
【請求項１】
無端状に連結されて駆動機構の駆動力により移動する複数の踏段と、該踏段の移動方向に沿って設けられたデッキボードと、該デッキボードに案内されて上記踏段と同期して移動する手摺とを備えたマンコンベアにおいて、
上階に設置されるマンコンベアの外装底部に設置された情報照射装置を備え、該情報照射装置が下階のマンコンベアの上記手摺に情報照射することを特徴とするマンコンベアの情報表示装置。
【請求項２】
上記マンコンベアの踏段の移動に合わせて上記手摺に照射する情報を移動させるように上記情報照射装置を制御する制御手段を備えたことを特徴とする請求項１記載のマンコンベアの情報表示装置。
【請求項３】
上記情報照射装置は、情報を上記手摺に照射する代わりに、上記マンコンベアの踏段またはデッキボードに照射することを特徴とする請求項１または２記載のマンコンベアの情報表示装置。
【請求項４】
上記情報照射装置は、上記マンコンベアが設置される階が単独または最上階の場合は建物の天井または壁面に設置されることを特徴とする請求項１〜３のいずれかに記載のマンコンベアの情報表示装置。
【発明の詳細な説明】
【技術分野】
【０００１】
この発明は、マンコンベアの情報表示装置に関し、特に、例えばエスカレータ等のマンコンベアの乗客に向けて情報を提供するマンコンベアの情報表示装置に関するものである。
【背景技術】
【０００２】
従来、マンコンベア利用者に対する情報の提供装置として、表示装置をマンコンベアの乗降部に設置するもの（例えば、特許文献１参照）や、マンコンベアの移動手摺に沿ってその上方に表示装置等を設置するもの（例えば、特許文献２参照）等がある。
【０００３】
【特許文献１】実開昭６３−１６７４９３号公報
【特許文献２】特開２００１−６３９５１号公報
【発明の開示】
【発明が解決しようとする課題】
【０００４】
然しながら、上記実開昭６３−１６７４９３号公報のように、表示装置をマンコンベアの乗降部に設置する場合には、利用中には表示装置が遠く内容をよみとりにくい課題があり、また、上記特開２００１−６３９５１号公報のように、表示装置を移動手摺に沿ってその上方に設置する場合には、移動手摺の近くにデッキボードがあるパネルタイプにしか取り付けられず、ガラス欄干を用いた透明タイプには設置できない等の課題があった。
【０００５】
この発明は、上記のような課題を解決するためになされたもので、マンコンベア全長にわたり情報を提供し、マンコンベアの形状に影響されることなくマンコンベア利用中の乗客に対し容易に且つ確実に情報を伝達することができるマンコンベアの情報表示装置を得ることを目的とする。
【課題を解決するための手段】
【０００６】
この発明に係るマンコンベアの情報表示装置は、無端状に連結されて駆動機構の駆動力により移動する複数の踏段と、該踏段の移動方向に沿って設けられたデッキボードと、このデッキボードに案内されて踏段と同期して移動する手摺とを備えたマンコンベアにおいて、上階に設置されるマンコンベアの外装底部に設置された情報照射装置を備え、この情報照射装置が下階のマンコンベアの手摺に情報照射するものである。
【発明の効果】
【０００７】
この発明は、上階に設置されるマンコンベアの外装底部に設置された情報照射装置が下階のマンコンベアの手摺に情報照射して必要な情報を乗客に提示するようにしたので、マンコンベアの形状に影響されることなく表示される情報の内容をマンコンベア利用の乗客に容易に且つ確実に伝達することができるという効果がある。
【発明を実施するための最良の形態】
【０００８】
以下、この発明の一実施の形態を、図１〜図４を参照して説明する。
実施の形態１．
図１は、この発明の実施の形態１によるマンコンベアの情報表示装置の全体を示す側面図である。
本実施の形態では、マンコンベアが複数階に設置される場合で、図１に示すように、上階用マンコンベア１は、後述する踏段の移動方向に沿って設けられたデッキボード２と、デッキボード２に案内されて踏段と同期して移動する手摺３と、マンコンベア駆動用の機器（図示せず）を内蔵するトラス４とを備える。
また、同様に下階用マンコンベア７は、後述する踏段の移動方向に沿って設けられたデッキボード８と、デッキボード８に案内されて踏段と同期して移動する手摺９と、マンコンベア駆動用の機器（図示せず）を内蔵するトラス１０とを備える。
【０００９】
そして、上階用マンコンベア１のトラス４の下側、つまりマンコンベア１の外装底面に、マンコンベアの全長にわたり設置された情報照射装置５を設け、この情報照射装置５からの破線で示すような照射光（イメージ）６を必要な情報として下階用マンコンベア７の移動する手摺９に照射する。
また、マンコンベア７のトラス１０内の上部に、情報照射装置５に電気的に接続され、マンコンベア７の手摺９に向かって照射する文字や絵等の情報の制御を行う制御手段としての情報制御装置１１を設ける。なお、この情報制御装置１１はマンコンベア７のトラス１０の外側に設けるようにしてもよい。
【００１０】
図２は、図１の符号ａで示す破線部分（デッキボードの一部）の断面図を示すものである。
図２において、無端状に連結され駆動装置（図示せず）の駆動力によって移動する複数の踏段１２と、この踏段１２の移動方向に沿って設けられたデッキボード８と、このデッキボード８に案内されて踏段１２と同期して移動する手摺９とが設けられ、この移動する手摺９の上面に、図１の情報照射装置５より投影（照射）された照射光６の情報が表示される。
【００１１】
情報表示の内容としては、一例として、降り口のフロアの売り場情報（デパート・ショッピングセンタ等）で、例えば６階、婦人服コーナと表示したり、また、乗り継ぎの電車の乗り場・発車時間・行き先等（駅舎・空港等）で、例えば１番線、１２：１４発、東京行きと表示したり、或いは降り口までの残り時間の表示（全客先にて安全表示）で、例えば降り口まで３０秒と表示すること等である。
このようにして、情報照射装置５より投影された照射光６の情報を移動中の手摺９の上面に表示することで、マンコンベア利用中の乗客は、そのマンコンベアが設置されている場所に関連した情報等を容易に且つ確実に把握することができる。
【００１２】
以上のように、この実施の形態１によれば、上階のマンコンベアの外装底面に全長にわたり情報照射装置を設置し、これにより下階のマンコンベアの手摺の上面に必要とする情報を照射するようにすることで、実質的にマンコンベア全長にわたり情報提供が可能になり、以って、その表示内容を読み取りやすくなり、表示される情報の内容を、マンコンベアを利用する乗客に容易に且つ確実に伝達することができる。また、マンコンベアの手摺の上面に必要な情報を照射するようにすることで、マンコンベアの形状に影響されることなく、デッキボードやガラス欄干のタイプ等に関係なくいずれの場合にも確実に表示内容を伝達でき、伝達精度の向上、装置の汎用性を向上できる。
【００１３】
実施の形態２．
上記実施の形態１では、必要な情報をマンコンベアの手摺の上面に照射する場合であるが、上記実施の形態１と同様の照射方法を用いて、図２のデッキボード８または踏段１２等に対し必要な情報を照射するようにしてもよい。
従って、この実施の形態２でも、実施の形態１と同様の効果が得られると共に、装置の汎用性を拡大できる。
【００１４】
実施の形態３．
上記実施の形態１では、複数階に設置されるマンコンベアにおいて、上階に設置されるマンコンベアの外装底面に情報照射装置５を設置した場合であるが、単独設置されるマンコンベアや最上階に設置されるマンコンベアにおいては、上階に設置されるマンコンベアに情報照射装置５を取り付けることができない。このような場合においては、建物の天井または壁面に情報照射装置５を取り付けることで対応可能となる。
【００１５】
以上のように、この実施の形態３によれば、単独設置されるマンコンベアや最上階に設置されるマンコンベアの場合には、情報照射装置を建物の天井または壁面に取り付けることで、これに対応でき、上記実施の形態１または２と同様の効果が得られる。
【００１６】
実施の形態４．
図３は、この発明の実施の形態４によるマンコンベアの情報表示装置における各機器の接続関係を示す機能ブロック図、図４はマンコンベアの情報表示装置における操作器の具体例を示す図である。なお、本実施の形態におけるマンコンベアの構造としては上記実施の形態１〜３と同様のものを前提とし、情報照射装置および制御装置の配置についても同様に考えてよい。
【００１７】
本実施の形態では、文字・絵等の情報を移動可能な情報照射装置５Ａ、制御装置１１Ａを設け、手摺等の移動速度に合わせて情報を移動させるものである。
図３において、情報照射装置５Ａは、トラス１０（図１）の機械室内の情報制御装置１１Ａと接続され、また、情報制御装置１１Ａは、操作器１３と接続されており、操作器１３からの操作入力に基づいて情報照射装置５Ａに表示する文字を制御するようになっている。そして、操作器１３には、図４に示すように、情報照射装置５Ａに表示したい文字列を入力するキー群１４、入力文字を確認する文字表示窓１５、情報照射装置５Ａに表示された文字の移動速度を調節する速度調節ダイアル１６、および情報照射装置５Ａに表示された文字の移動方向を決定する移動方向切換スイッチ１７を備えている。
【００１８】
次に、動作について説明する。
トラス１０の機械室内に設置された操作器１３のキー群１４により入力された任意の文字群は文字表示窓１５および手摺９の上面に表示される。このとき、例えば移動方向切換スイッチ１７によりマンコンベア運転方向と同方向に文字の移動方向が設定されていれば、速度調節ダイアル１６を回すことにより手摺９の上面の照射光が点滅を始め、あたかも表示された文字がマンコンベア運転方向へ動くような動作を行う。
【００１９】
速度調節ダイヤル１６をさらに回すことにより、この見かけのスピードが上がり、即ち、マンコンベアとの相対速度が上昇して提供する情報量を増すことができる。また、移動方向切換スイッチ１７を左右のいずれかに入れると、文字の移動方向を切換決定することができ、マンコンベア運転方向が切り換わった場合に、これに追従して文字の移動方向を切り換えることができ、さらに、文字の移動方向をマンコンベア運転方向と逆方向にすることにより、文字の移動方向が小さくてもマンコンベアとの相対速度は増大するため提供する情報量を増すことができる。
【００２０】
以上のように、この実施の形態４によれば、文字・絵等の情報を移動可能な情報照射装置および情報制御装置を用いることにより、移動する手摺等の移動速度に合わせて情報を移動させることが可能になり、これにより、マンコンベア利用中の乗客に情報を確実に伝達することが可能となる。
【図面の簡単な説明】
【００２１】
【図１】この発明の実施の形態１によるマンコンベアの情報表示装置の全体を示す側面図である。
【図２】この発明の実施の形態１によるマンコンベアの情報表示装置の一部を拡大して示す断面図である。
【図３】この発明の実施の形態４によるマンコンベアの情報表示装置における各機器の接続関係を示す機能ブロック図である。
【図４】この発明の実施の形態４によるマンコンベアの情報表示装置における操作器の具体例を示す図である。
【符号の説明】
【００２２】
１,７    マンコンベア
２,８    デッキボード
３,９    手摺
４,１０    トラス
５,５Ａ    情報照射装置
１１，１１Ａ    情報制御装置
１２    踏段
１３    操作器
【図１】
2005225669.tif 000003
【図２】
2005225669.tif 000004
【図３】
2005225669.tif 000005
【図４】
2005225669.tif 000006